(57)【要約】ＨＴＳマグネットを、一方では、各高温超伝導体リングからなる装置を外部から通電することによってのみ磁化しても、各高温超伝導体リングに付加された常伝導コイルを用いて印加された外部磁場を用いて磁化してもよい方法が提案されている。マグネット装置は、外部から通電するだけの場合には、先ず、同一面に設けられた同軸の高温超伝導リングから構成され、それから更に、そのような面を同軸に積層して構成される。付加的に外部磁場が加えられる場合には、この付加的な外部磁場は、マグネット装置を少なくとも部分的に囲繞する常伝導ソレノイドによって達成されるか、又は、各ＨＴＳコイル間のスパイラル状の平坦な常伝導コイルによって達成される。各場合に、磁場軸は、ＨＴＳ装置にも、統合された常伝導コイルにも一致する。
2004503115.tif 000002
【特許請求の範囲】
【請求項１】
超伝導臨界温度Ｔｃ以下で作動するクライオマグネットをパルス制御により磁化する方法であって、
軸に沿って積層されたｍ個のディスクを有しており、該ディスクは、それ自体各々ｎ個の環状リング又は多角形リング状の、超伝導材料製の導体要素から形成されていて、該導体要素は、相互に同心円状のｎ−１個のリング状間隙を形成しており、但し、前記のｎ及びｍは、自然数≧１であり、且つ、
前記ｎ個の導体要素の各々は、２つのコンタクト個所を有しており、該コンタクト個所を介して通電される方法において、
ｍｎ個の導体要素の各々には、当該導体要素の一方のコンタクト個所を介して、所定極性、強度及びパルス形状の輸送電流パルスＩｐｕｌｓを供給し、該輸送電流パルスＩｐｕｌｓを、当該輸送電流パルスＩｐｕｌｓ内で２つの部分電流Ｉ１及びＩ２に分流し、前記部分電流Ｉ１を、他方のコンタクト個所につながった前記導体要素の一方のアームに流し、前記部分電流Ｉ２を、前記他方のコンタクト個所につながった前記導体要素の他方のアームに流し、
前記両コンタクト個所間の接続区間を、前記導体要素の全周の最大３５％の長さＡを有するように保持し、該保持により、前記両アームの種々異なる長さによって、非対称な電流Ｉ１≠Ｉ２を生起し、
前記ｍｎ個の導体要素は、幾何学的に相互に電気的に接続されて、ｎ個の導体要素の各々の要素に供給された前記輸送電流パルスＩｐｕｌｓが、当該輸送電流パルスＩｐｕｌｓの上昇側縁の間に流れる前記部分電流Ｉ１が、全部でｎ個の前記導体要素での所定の方向（Ｓｉｎｎ）に関して同じ向き（Ｒｉｃｈｔｕｎｇ）を有していることを特徴とする方法。
【請求項２】
全部でｍｎ個の導体要素での輸送電流パルスＩｐｕｌｓを、各導体要素内での所属の最大値Ｉｐｕｌｓ，ｍａｘが同一であり、前記輸送電流パルスＩｐｕｌｓの前記最大値Ｉｐｕｌｓ，ｍａｘを、全部でｍｎ個の前記導体要素のうち、全周が比較的短いアームの長さの最大部分Ａｍａｘが、閉導体ループであるように調整し、前記全導体要素のうち最大臨界電流Ｉｃ，ｍａｘ、及び、全部でｍ個の完全に磁化されたディスクによって、当該ディスクの真ん中で形成される磁場強度Ｈ＊が以下の条件式：
（１−２Ａｍａｘ）Ｉｐｕｌｓ，ｍａｘＨ＊／Ｉｃ，ｍａｘ≧２Ｈ＊
を充足する
請求項１記載の方法。
【請求項３】
前述のパルス制御による磁化過程を複数回繰り返すことによって、クライオマグネット内に侵入する残留磁束をステップ状に高々飽和磁化に達する迄上昇する請求項１又は２記載の方法。
【請求項４】
各磁化ステップ後、作動温度Ｔを更に下げる請求項３記載の方法。
銅コイルを用いない磁化
【請求項５】
超伝導臨界温度Ｔｃ以下で作動するクライオマグネットをパルス制御により磁化する方法であって、
軸に沿って積層されたｍ個のディスクを有しており、該ディスクは、それ自体各々ｎ個の円形リング又は多角形リング状の、超伝導材料製の導体要素から形成されていて、該導体要素は、相互に同心円状のｎ−１個のリング状間隙を形成しており、但し、前記のｎ及びｍは、自然数≧１であり、前記ｎ個の導体要素の各々は、２つのコンタクト個所を有しており、該コンタクト個所を介して通電され、各々ｎ個の同心状超伝導リングからなるｍ個のディスクの積層と一緒に構成された常伝導コイルを有しており、前記常伝導コイルの磁場軸は、ディスク積層の軸と一致している方法において、
クライオマグネットに、常伝導コイルを介して、所定極性、強度、及び、パルス形状の磁場パルスＨｐｕｌｓを加え、前記磁場パルスは、各導体要素中に各々リング電流Ｉｉｎｄを誘起し、該リング電流により、前記磁場の上昇パルス側縁中前記導体要素を少なくとも部分的に、磁束が侵入しないように遮蔽し、前記磁場パルスの最大値Ｈｐｕｌｓ，ｍａｘの達成後、当該磁場パルスの極性を反転し、前記各導体要素に、当該各導体要素の両コンタクト個所を介して付加的に、所定極性、強度及びパルス形状の輸送電流パルスＩｐｕｌｓを供給し、該輸送電流パルスを前記各導体要素に供給した際、２つの部分電流Ｉ１及びＩ２に分流し、該２つの部分電流Ｉ１及びＩ２をリング状導体要素の両アームを介して、第２のコンタクト個所に流し、
前記両パルスＩｐｕｌｓ及びＨｐｕｌｓの極性、強度、パルス形状及び時間順序列を、当該両パルスＩｐｕｌｓ及びＨｐｕｌｓの極性、強度、パルス形状及び時間順序列の共働により、前記リング状導体要素の両アーム中の電流がＩ１≠Ｉ２となるように分流されるように選定し、前記両電流Ｉｐｕｌｓ及びＩｉｎｄの共働により形成される前記部分電流Ｉ１は、上昇磁場パルス側縁中誘起されるリング電流Ｉｉｎｄと同じ極性を有しており、
前記リング状導体要素の第２のアーム中に流れる部分電流Ｉ２よりも大きな上昇磁場パルス側縁中、
前記磁場パルスＨｐｕｌｓ及び輸送電流パルスＩｐｕｌｓを、全パルス期間内の時間間隔の間、少なくとも部分電流Ｉ１が、各々の導体要素の臨界電流Ｉｃの近傍になるか、又は、当該臨界電流Ｉｃを超過するように選定し、
ディスクのｎ個の導体要素を、前記ｎ個の導体要素の各々に供給される輸送電流パルスＩｐｕｌｓが、前記輸送電流パルスＩｐｕｌｓの上昇側縁中流れる比較的大きな部分電流Ｉ１の間、全部でｎ個の各導体要素で所定の方向に関して同じ向きを有している極性を有しているように、幾何学的に相互に電気接続し、
磁場Ｈｐｕｌｓ及びｍ個のディスク中に供給される輸送電流パルスＩｐｕｌｓを、当該輸送電流パルスＩｐｕｌｓの上昇側縁中流れる比較的大きな部分電流Ｉ１が、全部でｍ個のディスク中で同じ向きを有しているように選定する
ことを特徴とする方法。
【請求項６】
導体要素中の両電流Ｉ１及びＩ２を非対称に分流するのを、種々異なるアーム長さにすることによって制御し、及び
電流パルスＩｐｕｌｓの極性を、当該電流パルスＩｐｕｌｓの上昇側縁中、比較的大きな部分電流Ｉ１が比較的短い方のアーム中に流れるように選定する請求項５記載の方法。
【請求項７】
全部でｍ個のディスクの全部でｍｎ個の導体要素中の輸送電流パルスＩｐｕｌｓを、前記各導体要素中の所属の最大値Ｉｐｕｌｓ，ｍａｘが同一であるように調整し、
磁場パルスＨｐｕｌｓの最大値Ｈｐｕｌｓ，ｍａｘ
前記電流パルスＩｐｕｌｓの最大値Ｉｐｕｌｓ，ｍａｘ
全部の導体要素の内、閉導体ループの全周の比較的短い方のアーム長の最大部分Ａｍａｘ、
全部でｍｎ個の導体要素の内、最大臨界電流Ｉｃ，ｍａｘ及び
全部でｍ個の完全に磁化されるディスクによって当該ディスクの中心部で形成される磁場強度Ｈ＊を、以下の条件：
Ｉｐｕｌｓ，ｍａｘ＜２Ｉｃ，ｍａｘ　及び
Ｈｐｕｌｓ，ｍａｘ＋（１−Ａｍａｘ）Ｉｐｕｌｓ，ｍａｘＨ＊／Ｉｃ，ｍａｘ≧２Ｈ＊
を維持するように選定する請求項６記載の方法。
【請求項８】
全部でｍ個のディスクの全部でｍｎ個の導体要素中の輸送電流パルスＩｐｕｌｓを、各導体要素中の所属の最大値Ｉｐｕｌｓ，ｍａｘが同一であるように調整し、
磁場パルスＨｐｕｌｓの最大値、
前記電流パルスの最大値Ｉｐｕｌｓ，ｍａｘ、
全部の導体要素の内、閉導体ループの全周の比較的短い方のアーム長の最大部分Ａｍａｘ、
全導体要素の内、最大臨界電流Ｉｃ，ｍａｘ
及び
全部でｍ個の完全に磁化されるディスクによって当該ディスクの中心部で形成される磁場強度Ｈ＊を、以下の条件：
Ｉｐｕｌｓ，ｍａｘ≧２Ｉｃ，ｍａｘ　及び
２Ｈｐｕｌｓ，ｍａｘ＋（１−２Ａｍａｘ）Ｉｐｕｌｓ，ｍａｘＨ＊／Ｉｃ，ｍａｘ≧２Ｈ＊
を充足するように選定する請求項６記載の方法。
【請求項９】
ｍ個のディスクの内の１つのｎ個の導体要素を、少なくとも１つの銅コイルと順次連続して電気的に接続し、該接続により、パルス制御されたコイル電流又はコイル電流の一部分を輸送電流パルスＩｐｕｌｓとして全部でｎ個の導体要素中に流す請求項７又は８記載の方法。
【請求項１０】
ｍ個のディスクを順次連続して接続し、該接続によって、パルス制御されたコイル電流又はコイル電流の一部分が輸送電流パルスＩｐｕｌｓとして全部でｍ個のディスク中に流される請求項９記載の方法。
【請求項１１】
磁場パルスＨｐｕｌｓ及び輸送電流パルスＩｐｕｌｓを、コイル装置にコンデンサを放電することによって形成し、電子スイッチ、例えば、サイリスタ又はパワートランジスタを介して、振動回路が、磁化用に形成される両固有振動の第１の半部だけを維持するようにする請求項９又は１０記載の方法。
【請求項１２】
パルス制御される磁化過程を複数回繰り返すことにより、クライオマグネット中に侵入する残留磁束をステップ状に高々飽和磁化に至る迄上昇する請求項１１記載の方法。
【請求項１３】
各磁化ステップ後、作動温度Ｔを更に下げる請求項１２記載の方法。
銅を用いないクライオマグネットの構成
【請求項１４】
磁化方法を実施するための超伝導材料製の成型体に基づくクライオマグネットにおいて、
ｍ個のディスクを有しており、前記各ディスクは、同一面内に設けられた、円形リング又は多角形リング形状のｎ個の導体要素（超伝導材料製）から構成されており、ｍｎ個の導体要素の各軸は、一直線上に、装置の軸に位置しており、ｍ及びｎは、各々≧１の自然数であり、
前記ｍｎ個の導体要素の各々の２つのコンタクト個所を有しており、該コンタクト個所を介して、前記各導体要素が通電され、ｍｎ個の導体要素は、所謂ＳＥ１Ｂａ２Ｃｕ３Ｏｘ高温超伝導体、１２３−ＨＴＳ−のクラスの超伝導材料から形成され、ＳＥは化学元素Ｙ又は希土類金属、又は、通電能力を高める化学添加剤付加することができる、これらの材料の混合物であり、
ディスクのｎ個の導体要素の各々の前記１２３−ＨＴＳ−材料の結晶構造ｃ−軸は、前記ディスクの軸から最大１０°ずれており、
前記ｍｎ個の導体要素は、１つ又は複数の１２３−ＨＴＳ−成型体から製造されており、複数の前記成型体を用いる際、当該成型体は、比較的低い包晶温度で１２３−ＨＴＳ’の基板上に超伝導結合することによって、機械的且つ超伝導により相互に結合され、前記１２３−ＨＴＳ−及び１２３−ＨＴＳ’−材料の結晶構造のａ−ｂ−格子交点が、ディスク面内で最大１０度相互に回転されていることを特徴とするクライオマグネット。
【請求項１５】
ｍｎ個の導体要素を各々別個に電流源に接続する請求項１４記載のクライオマグネット。
【請求項１６】
ディスクのｎ個の導体要素を、電気的に順次連続して接続し、当該電気接続を、常伝導又は超伝導により行ない、外側の導体要素に順方向に通電したり、内側の導体要素に逆方向に通電したり、又は、外側の導体要素に逆方向に通電したり、内側の導体要素に順方向に通電したりするように接続する請求項１４記載のクライオマグネット。
【請求項１７】
ｍ個の各ディスクを電気的に別個に接続する請求項１６記載のクライオマグネット。
【請求項１８】
ｍ個の各ディスクを相互に電気的に直列に接続する請求項１６記載のクライオマグネット。
銅を用いるマグネットの構成
【請求項１９】
ＨＴＳクライオマグネットを、少なくとも１つの銅コイルと一緒に構成して、各磁場軸が一致するようにする請求項１５又は１６又は１７又は１８記載のクライオマグネット。
【請求項２０】
銅コイルを、ｍ個のディスクからなる積層の少なくとも１つのディスクが挿入されたソレノイドにする請求項１９記載のクライオマグネット。
【請求項２１】
銅コイルを、外側の直径が高々ディスクの直径に等しい平坦なスパイラルコイルにし、当該スパイラルコイルを、ｍ個のディスクの少なくとも１つに直ぐ隣接させる請求項１９記載のクライオマグネット。
【請求項２２】
ＨＴＳクライオマグネットは、ワックス又は樹脂又はエポキシ又は他の、この用途に適したポリマー炭水化合物からなるマトリックス内に設けられていて、低温でまだ十分な可塑性を有していて磁場と結合した機械的な緊張力を少なくとも部分的に受け止めることができる請求項１５又は１６又は１７又は１８又は２０又は２１記載のクライオマグネット。
【請求項２３】
ｍｎ個の導体要素の各々に輸送電流Ｉｐｕｌｓを供給及び導出するために２つのコンタクト個所が、当該２つのコンタクト個所間の両アームの長さが、前記導体要素の全周の最大３５％の部分Ａを有しているように設けられている請求項１５から２２迄の何れか１記載のクライオマグネット。
【発明の詳細な説明】
【０００１】
本発明は、高温超伝導（ＨＴＳ）クライオマグネットの磁化方法及び当該方法を実施するためのクライオマグネットの構成に関する。
【０００２】
高電流を流すことができるＨＴＳ中実材料は、磁化した後、転移温度Ｔｃより下側の作動温度Ｔに、つまり、Ｔ＜Ｔｃに保持されるクライオマグネットとして使用されている。それから、クライオマグネットは、永久磁石のように作用する。その磁場は、専門的な言葉の使用では「凍結」される。つまり、「フィールドクールド（磁界中冷却）」方法を介して、大きな超伝導マグネットコイルによって磁化された後、磁場＞１４テスラが示される。この過程は、以下の原理である：
ＨＴＳは、先ず、例えば、超伝導コイルの時間的に一定の外部磁場内で、温度Ｔ＜Ｔｃに冷却される。磁束は、この温度では、この外部磁場内に凍結又は捕捉（ピン止め）する。それから、外部磁場はゆっくり、即ち、分及び時間のスケールで低減し、そうすることによって、超伝導電流がＨＴＳ内に誘起され、この超伝導電流は、ＨＴＳ内の磁場をほぼ維持して、ＨＴＳを作用の点で永久磁石、クライオマグネットにする。
【０００３】
高電流を流すことができるＨＴＳ成型体の磁化は、このＨＴＳ成型体が、例えば、電気機器内に構成されている場合には、大きな超伝導コイルを用いて行うわけにはいかず、組み込まれた状態で、例えば銅コイルを用いてパルス制御磁化を介して行う必要がある。上述の「フィールドクールド（磁界中冷却）」方法とは異なり、この所謂「ゼロフィールドクールド（零磁界中冷却）」方法では、超伝導体は、外部磁場なしに温度＜Ｔｃに冷却され、それから、短い磁場パルスが加えられる。磁場が十分に強い場合、この方法でも磁束が超伝導体内で凍結する。その際、各磁化用マグネットの多数回順次繰り返しパルスによって、繰り返し磁化してもよい。このために、数ｍｓのパルス期間でのマルチパルス方法が有利であって、３テスラ迄もの磁場を凍結することができる。
【０００４】
輸送電流パルスを入力結合しない、銅コイルでのパルス磁化方法が公知であり［Ｉ、ＩＩ、ＩＩ］、並びに、ＨＴＳ中実材料用の形状成型及び結合技術［ＩＶ］、ＨＴＳリング構造及び当該ＨＴＳリング構造の磁化特性［Ｖ］、並びに、機械的な増強により、強い磁場によってＨＴＳにかかる力を阻止することができることが公知である［ＶＩ］。
【０００５】
成型体の飽和磁化、即ち、最大凍結可能磁場Ｈ＊は、試料の形状及び試料の臨界電流密度ｊｃによって決められる。大まかな規則としては、「フィールドクールド（磁界中冷却）」方法では、試料を完全に磁化するために、コイルの磁場は少なくとも１×Ｈ＊に相応する必要がある。これに対して、パルス磁化、「ゼロフィールドクールド（零磁界中冷却）」方法では、このために典型的には、パルス高さ２×Ｈ＊の磁場が必要である。この原因は、磁化パルスの上昇側縁中、試料内に誘起される遮蔽電流のためである。
【０００６】
従って、この、磁化パルスの上昇側縁で誘起される遮蔽電流、及び、組み込まれた、同様寸法の銅コイルを用いて最大達成可能な、３−６テスラのパルス磁場により、最大達成可能な凍結磁場用の実際の境界が設定される。
【０００７】
誘起遮蔽電流の限定は、理想的な場合、ゼロに達し、それから、「フィールドクールド（磁界中冷却）」方法に比肩しうる状況に達する。更に、成型体の個別セグメントを磁化すると、個別セグメントによって形成された磁場が加算されて、総体的に、銅コイルによって形成される磁場よりも高い磁場が達成可能となる。
【０００８】
従って、本発明が基づく課題は、転移温度Ｔｃの下側の温度で高磁場を凍結することができるクライオ（低温）適性のＨＴＳマグネットでの磁化方法を提供すること、及び、この方法により有効に磁化することができるクライオマグネットを構成することである。
【０００９】
本発明によると、この課題は、請求項１、及び、請求項５記載のパルス磁化方法により解決される。請求項１記載の方法は、クライオマグネット内に組み込まれた銅コイルを用いずに経過し、それに対して、請求項５記載の方法では、銅コイルを用いる。
【００１０】
この方法を理解し易くするために、本来のクライオマグネットの原理構造について先ず説明する：
このクライオマグネットは、各中心点が１つの軸上に位置しているｍ個の積層ディスクから構成されている。各ディスク自体は、ｎ個の円形リング又は多角形リング形状の導体要素から構成され、各導体要素は、相互に同心円状に１つの面内に位置していて、ｎ−１個のリング間隙を形成し、その際、ｍ及びｎは自然数≧１である。各ディスクは、超伝導、正確には高温超伝導材料製である。
【００１１】
ｎ個の導体要素の各々は、２つのコンタクト個所を有しており、このコンタクト個所を介して、磁化方法では、使用された超伝導材料の最低転移温度Ｔｃ以下で通電される。
【００１２】
請求項１、及び、請求項５記載の両方法は、請求項１３記載の原理構造により実施され、従って、同様に磁化される。
【００１３】
ｎ個の導体要素の各々に、当該導体要素の両コンタクト個所を介して所定極性、強度及びパルス形状の輸送電流パルスＩｐｕｌｓが供給される。他の通電導体要素用のコンタクト個所によって、他方のコンタクト個所用の導体要素のアームを介して輸送電流Ｉｐｕｌｓが両部分電流Ｉ１に分流され、他方のコンタクト個所用の導体要素の他方のアームを介して両部分電流Ｉ２に分流される。両コンタクト個所は、各コンタクト個所間の接続区間の長さ、即ち、両アームのうち短い方のアームの長さが、導体要素の全周の最大３５％の部分Ａを有しているように設けられる。そうすることによって、電流は非対称Ｉ１≠Ｉ２となる。そこで、両アームの短い方のアームに流れる電流はＩ１で示し、両アームの長い方のアームに流れる電流はＩ２で示すことにする。
【００１４】
ｍｎ個の導体要素は、幾何学的に相互に電気的に接続されていて、該接続は、ｎ個の導体要素の各々に給電される輸送電流パルスＩｐｕｌｓが、当該輸送電流パルスＩｐｕｌｓの上昇側縁の間流れる部分電流Ｉ１が、全部でｎ個の導体要素での所定の方向に関して同じ向きを有しているような極性を有しているようにされる。複数のディスクを用いた場合、供給される輸送電流パルスＩｐｕｌｓは、当該輸送電流パルスＩｐｕｌｓの上昇側縁の間流れる部分電流Ｉ１が、全部でｍ個のディスクで所定の方向に関して同じ向きを有しているように選定される。
【００１５】
請求項２によると、全部でｍｎ個の導体要素での輸送電流パルスＩｐｕｌｓは、各導体要素での所属の最大値Ｉｐｕｌｓ，ｍａｘが同一であるように調整される。全部でｍｎ個の導体要素のうち、閉導体ループの全周の比較的短い方の各アームの長さの最大部分は、Ａｍａｘで示されている。超伝導体要素の臨界電流Ｉｃとして、超伝導体内に電圧降下１０−６Ｖ／ｃｍが生じるような電流が示される。電流＞Ｉｃが、超伝導体にオーム抵抗を形成するために流れる。全部でｍｎ個の導体要素の内最大臨界電流は、Ｉｃ，ｍａｘで示され、全部でｍ個の完全に磁化されるディスクによって当該ディスクの中心部に形成される磁場強度は、Ｈ＊で示される。従って、請求項２によると、輸送電流パルスＩｐｕｌｓの最大値Ｉｐｕｌｓ，ｍａｘが更に、以下の条件を充足するように調整される：
（１−２Ａｍａｘ）Ｉｐｕｌｓ，ｍａｘＨ＊／Ｉｃ，ｍａｘ≧２Ｈ＊
請求項３によると、最大飽和磁化が、クライオマグネット内に侵入する残留磁束がステップ状に高々飽和磁化に達する迄上昇されるようにして達成される。
【００１６】
請求項４には、作動温度Ｔを各磁化ステップ後更に低下させることが記載されている。こうすることによって、更に外側に設けられた特別な導体要素の遮蔽作用が低減され、全磁化過程中クライオマグネットの中心に、比較的高い磁化を達成することができる（引用文献ＩＩＩ参照）。
【００１７】
以上説明した磁化方法のためには、クライオマグネットのシステム内に組み込まれた銅コイルによって形成される外部磁場は必要ない。
【００１８】
磁化の変形実施例は、そのような外部磁場をそのために使う点にある。このために、請求項１４の本来のクライオマグネットのシステムに対して、少なくとも１つの銅コイルを必要とする。この銅コイルを用いて形成される外部磁場の軸線が、磁化後に凍結（ピン止め）される磁場の軸線と一致する。
【００１９】
クライオマグネットには、常伝導コイルを介して所定極性、強度及びパルス波形の磁場パルスが供給され、この磁場パルスは、導体要素内に各々１つのリング電流Ｉｉｎｄを誘起する。このリング電流は、磁場の上昇パルス側縁の間、導体要素を少なくとも部分的に、磁束が侵入しないように遮蔽する。最大値Ｈｐｕｌｓ，ｍａｘの達成後、誘起されたリング電流Ｉｉｎｄの極性が反転する。
【００２０】
各導体要素には、請求項１〜４に記載されているように、当該導体要素のコンタクト個所を介して付加的に所定極性、強度及びパルス形状の輸送電流パルスＩｐｕｌｓが供給され、この輸送電流パルスＩｐｕｌｓは、供給時に２つの部分電流に分流される。
【００２１】
両パルスＩｐｕｌｓ及びＨｐｕｌｓの極性、強度、及び時間順序列は、当該両パルスＩｐｕｌｓ及びＨｐｕｌｓが共働して、リング状導体要素の両アームに電流がＩ１≠Ｉ２となって分流するように選定される。その際、続いて両電流Ｉｐｕｌｓ及びＩｉｎｄの共働により形成されて、上昇する磁場パルス側縁中誘起されるリング電流と同じ極性を有する部分電流をＩ１で示す。この部分電流Ｉ１は、上昇する磁場パルス側縁中、リング状導体要素の他方のアームに流れる部分電流Ｉ２よりも大きい。
【００２２】
更に、磁場パルスＨｐｕｌｓ及び輸送電流パルスＩｐｕｌｓは、全パルス間隔内の時間間隔中、各導体要素の臨界電流Ｉｃの近傍に至るか、又は、この臨界電流を超過するように選定される。そうすることによって、各々の全導体要素に流れる最大電流を制限して、それにより、上昇するパルス期間中誘起されるリング電流Ｉｉｎｄの遮蔽作用を低減する高いオーム抵抗が形成される。その結果、磁束が導体ループ中に増強して侵入して、両パルスＩｐｕｌｓ及びＨｐｕｌｓの減衰後、超伝導持続電流が導体ループ中に更に流れる。比較的高い残留磁化が、磁場パルスＨｐｕｌｓを唯１回印加しさえすれば達成される。
【００２３】
輸送電流パルスＩｐｕｌｓに関しては、外部磁場なしで磁化した場合と同様に調整され、即ち、磁場及びｍｎ個の導体要素内に供給される輸送電流パルスＩｐｕｌｓが、輸送電流パルスＩｐｕｌｓの上昇側縁中、全部でｍｎ個の導体要素、従って、全部でｍ個のディスク中に流れる比較的大きな部分電流Ｉ１が、同じ向きであるように選定される。
【００２４】
導体要素中の両電流Ｉ１及びＩ２を非対称に分流するのは、種々異なるアーム長さにすることによって制御される。電流パルスＩｐｕｌｓの極性は、当該電流パルスＩｐｕｌｓの上昇側縁中、比較的大きな部分電流Ｉ１が比較的短い方のアーム中に流れるように選定される（請求項６）。
【００２５】
請求項７によると、全部でｍｎ個のディスクの全部でｎ個の導体要素中の輸送電流パルスＩｐｕｌｓは、各導体要素中の所属の最大値Ｉｐｕｌｓ，ｍａｘが同一であるように調整される。磁場パルスＨｐｕｌｓの最大値Ｈｐｕｌｓ，ｍａｘ、電流パルスＩｐｕｌｓの最大値Ｉｐｕｌｓ，ｍａｘ、全部の導体要素の内、閉導体ループの全周の比較的短い方のアーム長の最大部分Ａｍａｘ、全部でｍｎ個の導体要素の内、最大臨界電流Ｉｃ，ｍａｘ及び全部でｍ個の完全に磁化されるディスクによって当該ディスクの中心部で形成される磁場強度Ｈ＊は、以下の条件：
Ｉｐｕｌｓ，ｍａｘ＜２Ｉｃ，ｍａｘ　及び
Ｈｐｕｌｓ，ｍａｘ＋（１−Ａｍａｘ）Ｉｐｕｌｓ，ｍａｘＨ＊／Ｉｃ，ｍａｘ≧２Ｈ＊
を維持するように選定される。
【００２６】
択一的に、有利な磁化のために、請求項８記載の条件を選定してもよい。この際、全部でｍ個のディスクの全部でｍｎ個の導体要素中の輸送電流パルスＩｐｕｌｓは、各導体要素中の所属の最大値Ｉｐｕｌｓ，ｍａｘが同一であるように調整される。磁場パルスＨｐｕｌｓの最大値、電流パルスの最大値Ｉｐｕｌｓ，ｍａｘ、全部の導体要素の内、閉導体ループの全周の比較的短い方のアーム長の最大部分Ａｍａｘ、全導体要素の内、最大臨界電流Ｉｃ，ｍａｘ及び
全部でｍ個の完全に磁化されるディスクによって当該ディスクの中心部で形成される磁場強度Ｈ＊は、以下の条件：
Ｉｐｕｌｓ，ｍａｘ≧２Ｉｃ，ｍａｘ　及び
２Ｈｐｕｌｓ，ｍａｘ＋（１−２Ａｍａｘ）Ｉｐｕｌｓ，ｍａｘＨ＊／Ｉｃ，ｍａｘ≧２Ｈ＊
を充足するように選定される。
【００２７】
請求項９には、ｍ個のディスクの内の１つのｎ個の導体要素が、少なくとも１つの銅コイルと順次連続して電気的に接続される。そうすることにより、パルス制御されるコイル電流又はコイル電流の一部分を同時に輸送電流パルスＩｐｕｌｓとして全部でｎ個の導体要素中に用いることができる。その際、銅コイル及びｎ個の導体要素の導体横断面のディメンションに応じて、高すぎる輸送電流パルスＩｐｕｌｓを用いる必要がなく、そのために、全コイル電流の一部分しか導体要素中に給電しないで済む。
【００２８】
請求項１０には、ｍ個のディスクを順次連続して接続することが記載されており、そうすることによって、パルス制御されるコイル電流又はコイル電流の一部分が輸送電流パルスＩｐｕｌｓとして全部でｍ個のディスク中に流される。
【００２９】
請求項１１には、磁場パルスＨｐｕｌｓ及び輸送電流パルスＩｐｕｌｓが、コイル装置にコンデンサを放電することによって形成される。十分に高速の電子スイッチ、例えば、サイリスタ又はパワートランジスタを介して、インダクタンスとキャパシタンスとからなる振動回路が、所定時点で切り離される。そうすることによって、磁化用に形成された固有振動の第１の半部だけが利用されて、振動しなくならないようにされる。
【００３０】
請求項３に記載されているように、請求項１２では、パルス制御磁化過程を複数回繰り返すことが提案されており、それにより、クライオマグネット中に侵入する残留磁束がステップ状に高々飽和磁化に至る迄上昇させられる。
【００３１】
請求項４に相応して、このように繰り返されるパルス制御磁化では、作動温度Ｔは、各磁化ステップ後更に下げられる（請求項１３）。引用文献ＩＩＩに紹介されているように、この要件を、第１の磁化パルスに対して比較的低いＨｐｕｌｓ，ｍａｘを選定するという要件と更に組み合わせてもよい。
【００３２】
通電を介してしか磁化を達成することができないクライオマグネットは、請求項１４に記載されているように、以下の構成を有している：
ｍ個の積層されたディスクが共通軸を有している。ｍ個のディスクの各々は、ｎ個の種々異なる、同一面内に位置している同心状の円形リング又は多角形リング形状の、超伝導、正確には高温超伝導材料製の導体要素からなる。ｍ及びｎは、各々≧１の先ず任意の自然数である。技術的に用いるために、及び、その際必要な、クライオマグネットの磁気特性のために、ｍ及びｎを選択して用いるとよい。
【００３３】
クライオマグネットの各導体要素は、当該クライオマグネットの通電のために２つのコンタクト個所を有している。ｍｎ個の導体要素は、所謂ＳＥ１Ｂａ２Ｃｕ３Ｏｘ高温超伝導体のクラスから形成されており、短く１２３−ＨＴＳと呼ぶ。ＳＥは、化学元素Ｙ又は希土類金属又はこれらの混合物からなる。各導体要素には、電流通電能力を高める化学添加剤を付加することができる。ディスクのｎ個の導体要素の各々の１２３−ＨＴＳ材料の結晶構造のｃ軸は、ディスクの軸線から最大１０度ずれる。
【００３４】
導体要素は、１つ又は複数の１２３−ＨＴＳ成型体から製造することができる。複数成型体を用いると、１２３−ＨＴＳ’に基づいて、比較的低い包晶温度で機械的且つ超伝導で相互に接続される。その際、１２３−ＨＴＳ、１２３−ＨＴＳ及び１２３−ＨＴＳ’材料の結晶ａ−ｂ軸−格子交点が、ディスク面内で最大１０度相互に回転される。
【００３５】
電気的な接続手段は極めて多種多様にある。例えば、ｍｎ個の導体要素を各々別個に電流源に接続することができる（請求項１５）。又は、ディスクのｎ個の導体要素は、外側及び内側のリングに通電方向が順方向になったり逆方向になったりして、電気的に順次連続して接続される。その際、各導体要素間の電気接続は、常伝導又は超伝導により行われる（請求項１６）。各ディスクの積層で、当該の各ディスクは、電気的に別個に接続されるか（請求項１７）又は相互に電気的に直列に接続される（請求項１８）。
【００３６】
ここまでの説明では、ＨＴＳクライオマグネットは、外部磁場の形成のために常伝導コイルを未だ持っていない。この構成について、以下説明する：
クライオマグネット軸と外部磁場軸とが一致して磁場の対称性が維持されている限りで、どのような常伝導コイルを用いるかは磁化過程にとって原理的には些末なことである。銅コイル（請求項１９）は、その材料及び製造特性に基づいて技術的に最適である。
【００３７】
コイルの種類に関しては、２つの形式が開示されている。一方では、クライオマグネット、ｍ個のディスクの積層を囲む、少なくとも部分的に囲むソレノイド（請求項２０）、他方では、直径が最大でディスクの直径であるディスクの銅製の平坦なスパイラルコイル（請求項２１）が開示されている。
【００３８】
材料負担の点で有効な、クライオマグネットの構成は、ＨＴＳクライオマグネットを、ワックス又は樹脂又はエポキシド、又は、クライオ条件にとって適切なポリマー炭水化合物から構成されたマトリックスにするのであり、こうすると、低温でも十分に高い塑性変形特性を有するようにすることができる。従って、磁場と共に機械的な緊張力を少なくとも部分的に受け止めて、ＨＴＳ材料の機械的な荷重を低減することができる。
【００３９】
ここで提案しているパルス磁化経過特性、及び、このパルス磁化経過特性と関連したクライオマグネットの構成は、以下の利点を示す：
従来技術は、１２３−ＨＴＳに基づく中実成型体又はリング状導体構造であって、永久磁石、大きな超伝導マグネットコイル又はパルス制御される銅マグネットコイルによって磁化される。本発明により、種々異なる導体要素に輸送電流Ｉｐｕｌｓを直接供給することによって、コスト上有利でスペースを節約できるパルス磁化を用いても比較的高い凍結（ピン止め）磁場を達成することができる。
【００４０】
以下、本発明について図示の実施例を用いて詳細に説明する。
【００４１】
その際、
図１は、常伝導リング接続を示す図、
図２は、超伝導リング接続を示す図、
図３は、ソレノイドによって囲繞されたＨＴＳディスクを示す図、
図４は、電気的に並列な２つのソレノイドによって囲繞されたＨＴＳディスクを示す図、
図５は、ソレノイドによって囲繞されたＨＴＳディスクを示す図、
図６は、ＨＴＳディスクとスパイラルコイルとを交互に設けた状態を示す図、
図７は、ＨＴＳディスクとスパイラルコイルとの間に設けられたスパイラルコイルを有するＨＴＳディスクを示す図、
図８は、交互に設けたスパイラルコイル付のＨＴＳリングディスクを示す図、
図９は、電流パルスの時間経過特性を示す図、
図１０は、電流パルスとマグネットパルスの時間経過特性を示す図
である。
【００４２】
クライオマグネットは、ＨＴＳ成形体製である。円筒形状のＨＴＳ中実（１本の）体は、ここでは厚みｄ＝３ｍｍのディスク内で切断されており、これは、リング内のレーザ切断技術を用いて、図１のように、ここでは、幅Δｒ＝２ｍｍに切断されている。寸法は、一例であり、技術的な条件に応じて変化する。このリングは、図１では、電気的に常伝導のウェブ（電気的にはノードである）によって相互に接続されている。
【００４３】
磁化のために、外側リングに加えられる電流パルスＩｐｕｌｓにより、各リング内に２つの部分電流Ｉ１及びＩ２が生じ、２つの部分電流Ｉ１及びＩ２は、各リング内で、供給されたパルス電流Ｉｐｕｌｓから、場合によっては、磁場パルスＨｐｕｌｓによって形成された誘起電流Ｉｉｎｄから形成される。リング内に形成された部分電流は、一般的には種々異なる。パルス電流Ｉｐｕｌｓ及び場合によっては磁場パルスＨｐｕｌｓの減衰後、リング電流
Ｉ１−Ｉ２＞０Ａ
が持続電流として残り、この持続電流は、Ｈｐｕｌｓと同じ極性の磁場を形成する。（図９及び１０には、一例として、ほぼ正弦波状乃至正弦波状のパルス形状Ｉｐｕｌｓ及びＨｐｕｌｓとして示されている。）ウェブ／ノード（図１及び２）の幾何学的な位置を介して、各リングの部分電流Ｉ１及びＩ２への分流が一緒に制御される。一般的には、この分流は非対称であり、しかも、種々異なる導体要素において同じではない。最も内側のリングでは、パルス電流Ｉｐｕｌｓが再度に向かって流れ出す。優位方向の決定は、電流が給電乃至遮断される各点間の接続区間が、全リング周のほぼＡ＝２０％（典型的には５−３５％）であるようにすることによって達成される（図９及び１０参照）。
【００４４】
個別導体要素を別個に制御する必要がある、既述の磁化方法の変形実施例は以下の通りである：
パルス制御される銅コイルを使用して、先ず、電流パルスが導入されていない内部リングが磁化され、外側リング内に導入された輸送電流パルスによって、全磁場パルスＨｐｕｌｓの間、遮蔽作用が低減される。順次連続する複数パルスによって、種々のリングセグメントが連続して内側から外側に向かって磁化される。
【００４５】
図２の構造は、図１の構造に相応している。図２では、ウェブは、リングの材料と同様の超伝導材料製、又は他の材料製である。同じ超伝導材料では、リング装置は有利には、真に硬い材料なのでレーザ切断技術を用いて中実体、つまり、ディスクから加工され、その結果、同心状のリング装置は関連のある部材である。個別リングでの電流分布について、図１に示した電流分布に相応して説明する。
【００４６】
銅コイルを用いる実施例は、一方では、内側にＨＴＳクライオマグネットを有する円筒状銅コイル（図３及び５）、又は、サンドウィッチ状に設けられたウォーム／スパイラル状銅コイル及び該コイル間に設けられた、各々複数リングから構成されたＨＴＳディスク（図６〜８）である。この変形実施例は、内側に向かって増大する磁場のために、内部のＨＴＳリングセグメントを磁化する必要がある。
【００４７】
以下、図３〜８を用いて、目的に適った種々異なる磁化の構成について説明する：
図３には、分かり易くするために、図１又は２の構造の３つの積層ＨＴＳディスクしか示していない。ディスク装置は、銅コイルを有するソレノイドによって囲繞されている。３つのＨＴＳディスク及びソレノイドは、相互に電気的に直列に接続されており、その際、３つのディスクは、最短距離で相互に電気接続されており、各ディスク間の接続技術は、常伝導又は超伝導にするとよい。
【００４８】
図４では、５つのＨＴＳディスクが積層されており、これら５つのＨＴＳディスクは、図の軸線上に相互に並べて配設された２つのソレノイドによって囲繞されている。５つのＨＴＳディスクは、図３に示されているように、両ソレノイドと電気的に順次連続して接続されており、何れにせよ、両ソレノイドは、相互に電気的に並列に接続されている。
【００４９】
幾何学的に少し変形された形式が、図５に示されているように、５つのＨＴＳディスクを有している。リングディスクであり、その結果、図の軸線に沿って、円筒状の中空空間が形成される。この５つのリングディスクは、相応の高さのソレノイドによって囲繞されている。この装置構成は、図５に相応して電気的に接続されている。
【００５０】
図６〜８では、磁場パルスＨｐｕｌｓが、平坦なディスク形状のスパイラルコイルを介して形成されている。このスパイラルコイルは、サンドウィッチ状に各ＨＴＳＬディスク間に設けられている。しかし、図３〜５に示されているように、ここでも、磁場軸は、各構成の図の軸線と一致している。
【００５１】
図６では、例えば、３つのＨＴＳディスク及び２つのスパイラルコイルが積層されており、つまり、３つのＨＴＳディスク及び２つのスパイラルコイルが交互に順次続いて設けられている。ＨＴＳディスク及びスパイラルコイルは、同じ輪郭である。しかし、例えば、スパイラルコイルの外径は、ＨＴＳディスクの外径よりも大きい（但し、そうすることによって、ＨＴＳディスクの十分に強い磁化が達成される場合）。
【００５２】
図７では、２つのＨＴＳディスク間に並べて設けられた２つのスパイラルコイルからなる構造が積層されている。各スパイラルコイルに直ぐ設けられているＨＴＳディスクは、このスパイラルコイルと電気的に１つのグループとなるように直列に接続されており、両グループは、相互に電気的に並列に接続されている。
【００５３】
図の軸線及び磁場軸に沿って、中空空間が必要である場合、図８の構成が適している。３つのＨＴＳリングディスク及び２つのリングディスクコイルは、交互に積層されていて、全て順次連続して電気的に接続されている。
【００５４】
図３〜８に示された、コイルとＨＴＳリングディスクとの間の直列及び並列接続の種々異なる変形実施例用の手段により、コイル電流を最適に調整することができ、各導体要素に供給される電流パルスを、導体横断面によって決められる、導体要素の臨界電流Ｉｃにすることができる。そうすることによって、所定の外部接続の際、磁化の最適な効果をコスト上有利に達成することができる。
【００５５】
パルス電流Ｉｐｕｌｓ及び当該パルス電流Ｉｐｕｌｓに基づく、リング内での電流Ｉ１及びＩ２の分流の電流経過特性略図が、図９に、導体要素の臨界電流Ｉｃに関して規格化されて示されている。この構成で供給されるパルス電流は、正弦波状の経過特性を有している。ここでは、電流によってのみ、つまり、外部印加磁場Ｈｐｕｌｓを用いないで磁化されている。リング内の電流は、図示のように分流されている。電流は、周期τの間流れ、つまり、電流上昇の開始時から最初のゼロ通過迄の時間流れる。最初のゼロ通過時に、この構成のエネルギ蓄積器（コンデンサ／電源装置）とインダクタンスとからなる振動回路が切り離される。
【００５６】
最後に、図１０には、図９に示されているように、パルス電流による磁化、及び、付加的な磁場が示されている。正弦波状の磁場経過特性にするために、規格化された図が選定されている。
【００５７】
両実施例から分かることは、上昇パルス側縁Ｉ１中、先ずＩ２よりも明らかに強く上昇するということである。付加的な磁場なしに、つまり、付加的に誘起される遮蔽電流Ｉｉｎｄなしに、Ｉ２は常に正である（図１及び２に示された電流の方向用の決定により）。付加的な磁場パルスを用いて、先ず、誘起された遮蔽電流Ｉｉｎｄが、導体要素の比較的長い方のアームに供給されたＩｐｕｌｓの部分を超過し、即ち、Ｉ２は、先ず、図１及び２に示された電流方向の決定によって負である。しかし、Ｉ１がＩｃを超過すると直ぐに、Ｉ１が更に上昇するのが制限される。それと共に、Ｉ２は大きくなる。それと同時に、リング状に閉じた導体要素中に磁束が侵入する。図９では、このことは、導体要素の比較的長い方のアーム内の電流Ｉ２によって形成され、図１０では、主として、外部磁場によって形成されている。下降するパルス側縁中、超伝導体は、閉導体ループ中に侵入した磁束を凍結する。これにより、結局、Ｉ１は、その符号を反転し、Ｉ１＝−Ｉ２で、リング中にリング電流が正のＩ２の向きで流れ、その際、このリング電流はほぼＩｃに相応する。即ち、リングは、この例では完全に磁化される。
【００５８】
選択した磁場形成（図３〜８）及び選択した接続に応じて、種々異なる電流、磁場及びパルス期間の数値を変えることができ、用途に応じて、相応の大きな領域内に合うように変えることができる。しかし、大まかには、導体要素の臨界電流Ｉｃには、数１００〜数１０００Ａのオーダーの値、磁場強度Ｈｐｕｌｓ，ｍａｘは、５Ｔ以上もの領域内、パルス期間τは、１〜１００ｍｓのオーダーの数値が適切であると見なされる。
文献
Ｉ　　　ＩＥＥＥ　ＴＲＡＮＳＡＣＴＩＯＮＥＳ　ＯＮ　ＡＰＰＬＩＥＤ　ＳＵＰＥＲＣＯＮＤＵＣＴＩＶＩＴＹ，Ｖｏｌ．９，Ｎｏ．２，Ｊｕｎｅ　１９９９，ｐｐ．９１６−９１９
”Ｂｅａｍ　Ｃｏｎｆｉｎｅｍｅｎｔ　Ｍａｇｎｅｔｓ　Ｂａｓｅｄ　ｏｎ　Ｓｉｎｇｌｅ−Ｇｒａｉｎ　Ｙ−Ｂａ−Ｃｕ−Ｏ＿，
Ａ．Ｃ．Ｄａｙ　他；
ＩＩ　　Ａｐｐｌｉｅｄ　Ｓｕｐｅｒｃｏｎｄｕｃｔｉｖｉｔｙ，
Ｖｏｌ．６，Ｎｏｓ．２−５，ｐｐ．２３５−２４６，１９９８，
”ＰＵＬＳＥＤ−ＦＩＥＬＤ　ＭＡＧＮＥＴＩＺＡＴＩＯＮ　ＡＰＰＬＩＥＤ　ＴＯ　ＨＩＧＨ−Ｔｃ　ＳＵＰＥＲＣＯＮＤＵＣＴＯＲＳ”，
Ｕ．Ｍｉｚｕｔａｎｉ　他；
ＩＩＩ　”Ｐｕｌｓｅｄ　Ｍａｇｎｅｔｉｚａｔｉｏｎ　ｏｆ　ＨＴＳ　Ｂｕｌｋ　Ｐａｒｔｓ　ａｔ　Ｔ＜／７７　Ｋ”，
Ｍ．Ｓａｎｄｅｒ　他、
Ｆｏｒｓｃｈｕｎｇｓｚｅｎｔｒｕｍ　Ｋａｒｌｓｒｕｈｅ　ＧｍｂＨ，並びに、この文献に含まれている参考文献　Ｓｕｐｅｒｃｏｎｄ．Ｓｃｉ．Ｔｅｃｈｎｏｌ．１３（２０００）１−５
ＩＶ　　Ｒｅｆｅｒｅｎｚ　Ｅ　ａｕｓ　ＥＭ　９２／９９：　Ｓｈａｐｉｎｇ　Ｖｏｒａｂｄｒｕｃｋ　Ｐｒｏｃ．
Ｅｕｒｏｐｅａｎ　Ｃｏｎｆｅｒｅｎｃｅ　ｏｎ　Ａｐｐｌｉｅｄ　Ｓｕｐｅｒｃｏｎｄｕｃｔｉｖｉｔｙ’９９，
Ｂａｒｃｅｌｏｎａ　１３．−１７．９．１９９９，Ａｐｐｌｉｅｄ　Ｓｕｐｅｒｃｏｎｄｕｃｔｉｖｉｔｙに掲載
Ｖ　　　”Ｐｒｏｐｅｒｔｉｅｓ　ｏｆ　Ｍｅｌｔ−Ｔｅｘｔｕｒｅｄ　Ｙ１２３　Ｒｉｎｇ　Ｓｔｒｕｃｔｕｒｅｓ”，
Ｈ．Ｃｌａｕｓ　他、　Ｗｏｒｋｓｈｏｐ　ｏｎ　Ｂｕｌｋ　Ｈｉｇｈ　Ｔｅｍｐｅｒａｔｕｒｅ　Ｓｕｐｅｒｃｏｎｄｕｃｔｏｒｓ　ａｎｄ　ｔｈｅｉｒ　Ａｐｐｌｉｃａｔｉｏｎｓ，１７．−１９．５．１９９９，
Ａｒｇｏｎｎｅ　Ｎａｔｉｏｎａｌ　Ｌａｂｏｒａｔｏｒｙ．．．．
ＶＩ　　Ｒｅｆｅｒｅｎｚ　Ａ　ａｕｓ　ＥＭ　９２／９９：　Ｉｍｐｒｏｖｅｍｅｎｔ．．．．Ｖｏｒａｂｄｒｕｃｋ　Ｐｒｏｃ．Ｅｕｒｏｐｅａｎ　Ｃｏｎｆｅｒｅｎｃｅ　ｏｎ　Ａｐｐｌｉｅｄ　Ｓｕｐｅｒｃｏｎｄｕｃｔｉｖｉｔｙ’９９，Ｂａｒｃｅｌｏｎａ　１３．−１７．９．１９９９，　Ａｐｐｌｉｅｄ　Ｓｕｐｅｒｃｏｎｄｕｃｔｉｖｉｔｙに掲載
【図面の簡単な説明】
【図１】常伝導リング接続を示す図
【図２】超伝導リング接続を示す図
【図３】ソレノイドによって囲繞されたＨＴＳディスクを示す図
【図４】電気的に並列な２つのソレノイドによって囲繞されたＨＴＳディスクを示す図
【図５】ソレノイドによって囲繞されたＨＴＳディスクを示す図
【図６】ＨＴＳディスクとスパイラルコイルとを交互に設けた状態を示す図
【図７】ＨＴＳディスクとスパイラルコイルとの間に設けられたスパイラルコイルを有するＨＴＳディスクを示す図
【図８】交互に設けたスパイラルコイル付のＨＴＳリングディスクを示す図
【図９】電流パルスの時間経過特性を示す図
【図１０】電流パルスとマグネットパルスの時間経過特性を示す図
【図１】
2004503115.tif 000003
【図２】
2004503115.tif 000004
【国際公開パンフレット】
2004503115.tif 000005
2004503115.tif 000006
2004503115.tif 000007
2004503115.tif 000008
2004503115.tif 000009
2004503115.tif 000010
2004503115.tif 000011
2004503115.tif 000012
2004503115.tif 000013
2004503115.tif 000014
2004503115.tif 000015
2004503115.tif 000016
2004503115.tif 000017
2004503115.tif 000018
2004503115.tif 000019
2004503115.tif 000020
2004503115.tif 000021
2004503115.tif 000022
2004503115.tif 000023
2004503115.tif 000024
2004503115.tif 000025
2004503115.tif 000026
2004503115.tif 000027
2004503115.tif 000028
2004503115.tif 000029
2004503115.tif 000030
2004503115.tif 000031
2004503115.tif 000032
2004503115.tif 000033
2004503115.tif 000034
2004503115.tif 000035
2004503115.tif 000036
2004503115.tif 000037
2004503115.tif 000038
2004503115.tif 000039
2004503115.tif 000040
【国際調査報告】
2004503115.tif 000041
2004503115.tif 000042
2004503115.tif 000043
2004503115.tif 000044
2004503115.tif 000045
2004503115.tif 000046